(57)【特許請求の範囲】
【請求項１】
カメラ（７）、とりわけ航空機からの航空写真を記録するためのカメラ（７）であって、
レンズ（８）と、
支持体要素（２）に固定された所定の画素サイズを有する少なくとも１つのデジタル二次元画素センサ（１.４）とを有し、
前記デジタル二次元画素センサ（１.４）は、とりわけ支持体要素（２）上に固定されたことに起因する所定の許容範囲（Δｌ）内の湾曲（３）を有しているカメラ（７）において、
前記レンズ（８）が、前記デジタル二次元画素センサ（１.４）の湾曲（３）の光学的な補償を少なくとも部分的にもたらすように構成されており、
前記レンズ（８）の光学的な結像特性は、前記デジタル二次元画素センサ（１.４）の湾曲（３）の所定の許容範囲（Δｌ）に関連する所定のモデルに基づいて予め求められ、前記所定のモデルとして、モデル関数ｈ＝ｆ（ｌ）が適用されることを特徴とするカメラ。
【請求項２】
観察光ビーム（９）が、前記デジタル二次元画素センサ（１.４）の画素サイズ内で、前記の補償によって少なくともほぼ鮮鋭に結像される、請求項１記載のカメラ。
【請求項３】
前記湾曲（３）の前記補償に対して、前記レンズ（８）の少なくとも１つの光学素子（８ａ）が相応の像歪みをもたらしている、請求項１または２記載のカメラ。
【請求項４】
前記デジタル二次元画素センサ（１.４）は、支持体要素（２）上に接着されている、請求項１から３いずれか１項記載のカメラ。
【請求項５】
前記デジタル二次元画素センサ（１.４）は、７.２μｍ以下の画素サイズを有している、請求項１から４いずれか１項記載のカメラ。
【請求項６】
前記デジタル二次元画素センサ（１.４）は、ＣＣＤセンサ又はＣＭＯＳセンサとして構成されている、請求項１から５いずれか１項記載のカメラ。
【請求項７】
前記支持体要素（２）は、ガラス、セラミック、又はプラスチックを含む、請求項１から６いずれか１項記載のカメラ。
【請求項８】
複数のカメラを備えた写真測量用カメラシステムにおいて、
前記複数のカメラのうちの少なくとも１つが請求項１から７いずれか１項記載のカメラ（７）であることを特徴とする写真測量用カメラシステム。
【発明の詳細な説明】
【技術分野】
【０００１】
本発明は、カメラ、とりわけ航空機からの航空写真を記録するためのカメラであって、レンズと、支持体要素に固定され所定の画素サイズを有する少なくとも１つのデジタル二次元画像センサとを備え、前記画像センサは、特に支持体要素への固定によって引き起こされる、所定の許容範囲内で湾曲を有している、カメラに関している。
【背景技術】
【０００２】
実際の現場において、デジタル画像センサ、とりわけＣＣＤ（charge coupled Device;電荷結合素子）タイプの画像センサは、市場での需要やコスト的な理由から、同じ大きさのもとで、ないしは、使用するシリコンの量を変えることなく、より微細な画素パターン、ないしはより小さな画素サイズを有することが絶えず求められている。例えば、１４０メガ画素以上の非常に大型のＣＣＤセンサは既に製造されている。その結果として７.２μｍ以下、特に例えば５．６μｍ以下の画素サイズとなる。この要求は、所定の被写界深度のもとでの光の集束結像に対する要求も高める。
【０００３】
ここで問題となるのは、ＣＣＤセンサのシリコンプレートが通常は支持体要素、例えばケーシングに、少なくとも接着剤によって接着されなければならないことである。接着剤は、シリコンプレートのすみの方がより強い接着力を発揮する。なぜならシリコン材料は２つのフォースベクトルを介して引っ張られるからである。それにより、シリコンプレートは測定可能な湾曲を生じる。
【０００４】
図１には、３５μｍまでの湾曲３を有するシリコンないしＣＣＤセンサ１.１からなる、デジタル二次元画像センサが示されている。このＣＣＤセンサ１.１の種々の高さは、図１中の当該画像センサ１.１の右隣に種々の陰影線でもって示されたスケールに応じて描写されている。ＣＣＤセンサ１.１の角の領域はゼロ地点とみなされ、そこからＣＣＤセンサ１.１の中央に向けて３５μｍまでの厚みの湾曲３が存在している。この湾曲３は、ＣＣＤセンサ１.１を、ガラス、セラミック又はプラスチックからなり得る支持体要素２に接着する際に、以下のフォースベクトル、
0005950905.tif 000002
をかけた結果として生じている。
【０００５】
図２には、ＣＣＤセンサ１.２が示されており、このＣＣＤセンサ１.２も支持体要素２に接着されている。
【０００６】
製造プロセスにおいて、シリコンプレートないしＣＣＤセンサ１.２がまだ接着されず、そのためまだ湾曲３を有していない状態のときには、個々の画素は、少なくとも小さな四角形若しくは矩形状の感光領域４とみなすことができる。これらの感光領域４は、格子５としてシリコンプレートないしＣＣＤセンサ１.２の表面に配設される。図２では、従来のレンズを用いても、湾曲３全体をカバーするのに十分な被写界深度が得られる。それにより光が個々の環境領域４に届いて鮮鋭な結像がなされ画像品質が損なわれることはない。このことは、図２に概略的に示されているように個々の画素サイズが十分に大きいケースに当てはまり、光点６が個々の光ビームとして感光領域４内で鮮鋭に結像されている。
【０００７】
図３には、さらに別のＣＣＤセンサ１.３が示されており、このＣＣＤセンサ１.３も、支持体要素２に接着されているが、感光領域４のサイズは、湾曲３全体で鮮鋭に結像するのには不十分な被写界深度しか得られない大きさである。すなわち、ここでは個々の光点６′がもはや鮮鋭には結像されず、光が周辺の隣接する感光領域４′内に入り込み、その結果画像品質はとりわけ解像度とコントラストに関して悪い影響を受ける。
【０００８】
しかしながらこのようなＣＣＤセンサ１.１〜１.３を、特に航空機からの航空写真の撮影に使うようなカメラに用いる場合には、わずかな画素サイズで大型のＣＣＤセンサ１.１〜１.３であっても、良好な画像品質が保証されなければならない。
【０００９】
そこで本発明の課題は、従来技術の欠点に鑑み、特に冒頭に述べたような種類のカメラにおいて、わずかな画素サイズで大型の画像センサのもとでも、十分な画像品質が保証されるように改善を行うことである。
【００１０】
上記課題は本発明により、カメラ、特に航空機からの航空写真を記録するためのカメラであって、レンズと、支持体要素に固定された所定の画素サイズを有する少なくとも１つのデジタル二次元画素センサとを有し、前記デジタル二次元画素センサは、とりわけ支持体要素上に固定されたことに起因する所定の許容範囲内の湾曲を有しているカメラにおいて、前記レンズが、前記デジタル二次元画素センサの湾曲の光学的な補償を少なくとも部分的にもたらすように構成されて解決される。
【００１１】
本発明の手段によれば、有利には、湾曲と、該湾曲に関連して悪化した画像品質とが、とりわけ僅かな画素サイズのもとでも、光学的に補償される。このことは、レンズないしは光学系の設計仕様によってもたらされる。これについては、光学系を相応に定めるためにも、製造の際にデジタル二次元画素センサの湾曲に対する許容範囲を設定した方がよい。この許容範囲は、製造過程においてできるだけ一定に維持されるべきである。
【００１２】
特に有利には、観測される光ビームないし光が、前記補償によって、前記デジタル二次元画素センサの画素サイズ内ないしは画素構造内で少なくともほぼ鮮鋭に結像される。
【００１３】
前記レンズの光学的な結像特性は、デジタル二次元画素センサの湾曲の所定の許容範囲に関連する所定のモデルに基づいて予め求めることが可能である。
【００１４】
前記湾曲の補償に対しては、前記レンズの少なくとも１つの光学素子が相応の像歪みをもたらす。
【００１５】
前記デジタル二次元画素センサは、支持体要素上に接着させることができ、有利には、７.２μｍ以下の画素サイズ、特に有利には５.６μｍ以下の画素サイズを有し得る。この場合、画素サイズと、レンズの結像点のサイズと、デジタル二次元画素センサの曲率との間で所定の関係が生じる。そのため画素サイズは必ずしも絶対的に定められるわけではない。
【００１６】
前記デジタル二次元画素センサないしフレームセンサは、ＣＣＤセンサ、ＣＭＯＳセンサ若しくはそれらに類似のセンサとして構成され得る。前記デジタル二次元画素センサの画素は、矩形状のマトリックス形態で配置されていてもよい。
【００１７】
前記支持体要素は、ガラス、セラミック、又はプラスチックを含んでいてもよいし、それらから形成されていてもよい。
【００１８】
請求項９には、複数のカメラを備えた写真測量用カメラシステムが開示されている。
【００１９】
本発明の有利な構成例及び改善例は、従属請求項にも記載されている。
【００２０】
以下では本発明の実施例を図面に基づいて詳細に説明する。
【図面の簡単な説明】
【００２１】
【図１】従来技法による支持体要素上に接着されたデジタル二次元画素センサの概略図
【図２】従来技法による第１の画素サイズを有する接着されたＣＣＤ画素センサの概略図
【図３】従来技法による第２の画素サイズを柚須売る接着されたＣＣＤ画素センサの概略図
【図４】本発明によるカメラの簡略図
【図５】図４の本発明によるカメラのＣＣＤ画素センサの概略的な断面図
【実施例】
【００２２】
図４には本発明によるカメラ７，とりわけ航空機（図示せず）からの航空写真を記録するためのカメラ７が示されている。このカメラ７は、レンズ８と、支持体要素２上に接着された所定の画素サイズないし画素領域４′を有するデジタル二次元画素センサないしＣＣＤセンサ１.４とを有している。また前記デジタル二次元画素センサ１.４は、支持体要素２に固定されたことに起因する所定の許容範囲内の湾曲３を有している。前記レンズ８は、前記ＣＣＤセンサ１.４の湾曲３の光学的補償を少なくとも部分的にもたらしている。破線９によって示されている観察光ビームの画素点ないし光点６は、感光領域ないし画素領域４′内では、前記補償によって少なくともほぼ鮮鋭に結像されている。湾曲３の補償に対しては、前記レンズ８の光学素子８ａが相応の像歪みを有している。
【００２３】
ＣＣＤ画素センサ１.４は、支持体要素２に接着されている。有利な実施例によれば、このＣＣＤ画素センサ１.４は、７.２μｍ以下の画素サイズを有し、特に有利には５.６μｍ以下の画素サイズを有している。前記支持体要素２は、ガラス、セラミック又はプラスチックから形成されていてもよいし、この種の材料を含んでいてもよい。
【００２４】
また前記カメラ７は、統合的な写真測量用カメラシステムの複数のカメラのうちの１つであってもよい。
【００２５】
前記レンズ８の光学的結像特性は、所定のモデルに基づいて事前に求められる。それについては各ＣＣＤ結像センサ１.４の表面測定が行われる。レンズ８の光学的結像特性は、この表面測定に基づいてＣＣＤ結像センサ１.４に整合される。さらに、ＣＣＤ画像センサ１.４が大量生産において一定に維持される一般的な許容範囲Δ１が特定される。モデルは、ＣＣＤが層センサ１.４の湾曲の３の所定の許容範囲Δ１に関連している。より詳細な説明のために、図５では、図４のＣＣＤ画像センサ１.４のラインＡ−Ｂに沿った断面図が示されている。ここではモデル関数、ｈ＝ｆ（１）の適用と、ＣＣＤ画像センサ１.４の最大高さｈｍａｘの特定と、許容範囲Δ１の特定とによって、ＣＣＤ画像センサ１.４に対するレンズ８の光学的結像特性のマッチングが可能となる。前記許容範囲Δ１は、製造許容偏差と周辺環境の変化とを補償する。この場合は、ＣＣＤ画像センサ１.４の表面ないし湾曲が前記許容範囲Δ１内で変化している限り、レンズ８の光学的設計仕様ないし光学的結像特性によって、光点６が感光領域ないし画素領域４′内に留まることが保証される。
【図１】
0005950905.tif 000003
【図２】
0005950905.tif 000004
【図３】
0005950905.tif 000005
【図４】
0005950905.tif 000006
【図５】
0005950905.tif 000007